(57)【要約】【課題】小型化を図ることができる電磁弁を提供する。【解決手段】ボビン１３下部にコア２２を内嵌し、上部の収容空間２３にプランジャー２４を上下動自在に収容する。プランジャー２４を磁性体で上方に開口した中空状に形成し、上端側に開口する挿入部３３にヨーク３４の磁気受渡部３５を挿入する。ヨーク３４を、鍔部４３を介してソレノイド１６上に配置された基部５１と、基部５１内縁より下方に延出する円筒状の磁気受渡部３５と、磁気受渡部３５下端の先端部５２で構成する。磁気受渡部３５に対向する対向面５３を、挿入部３３を構成するプランジャー２４側壁部３１の内側面に設定し、ソレノイド１６で励磁されたヨーク３４からの磁気を、磁気受渡部３５に対向した対向面５３を介してプランジャー２４へ受け渡す。【選択図】        図１
2004270768.tif 000002
【特許請求の範囲】
【請求項１】
収容空間に移動自在に収容されたプランジャーと、該プランジャーへ磁気を受け渡す磁気受渡部が設けられたヨークとを備えた電磁弁において、
前記プランジャーの端面に、前記ヨークの前記磁気受渡部が挿入される挿入部を設け、前記磁気受渡部に対向する対向面を、前記挿入部の内側面に設定したことを特徴とする電磁弁。
【請求項２】
前記プランジャーを、前記端面側に開口する中空状に形成したことを特徴とする請求項１記載の電磁弁。
【発明の詳細な説明】
【０００１】
【発明の属する技術分野】
本発明は、例えば油圧を制御する電磁弁に関する。
【０００２】
【従来の技術】
従来、油圧回路にて油圧を制御する際には、図２に示すように、電磁弁１０１が用いられていた。
【０００３】
この電磁弁１０１のソレノイド１１１のボビン１１２下部には、コア１１３が内嵌されており、該コア１１３上部の収容空間１１４内には、プランジャー１１５が上下動自在に収容されている。前記ボビン１１２の上端部には、磁気回路を構成するヨーク１１６の磁気受渡部１１７が内嵌されており、このヨーク１１６の鍔部１１８は、前記ボビン１１２上に配置されている。前記鍔部１１８上には、前記プランジャー１１５の抜けを阻止するストッパー１１９が積層されており、該ストッパー１１９は、周縁部がケーシング１２１に固定されている。
【０００４】
この電磁弁１０１にあっては、前記プランジャー１１５へ磁気の受け渡しをする前記ヨーク１１６の磁気受渡部１１７が、前記プランジャー１１５の外周部に配置されており、電磁弁１０１の直径の縮径化の阻害要因となっていた。
【０００５】
これを解消する為に、図３に示すような電磁弁２０１を考案するに至った。
【０００６】
この電磁弁２０１には、ソレノイド２１１のボビン２１２下部にコア２１３が内嵌されており、該コア２１３上部の収容空間２１４内にプランジャー２１５が上下動自在に収容されている。前記ボビン２１２上面には、磁気回路を構成するリング状のヨーク２１６が積層されており、該ヨーク２１６上には、前記プランジャー２１５の抜けを阻止するストッパー２１７が設けられている。
【０００７】
すなわち、前記プランジャー２１５へ磁気を受け渡す前記ヨーク２１６を、前記ボビン２１２上に配置することによって、プランジャー２１５の外周部に配置する場合を比較して、電磁弁２０１の直径を縮径できるように構成されている。
【０００８】
【発明が解決しようとする課題】
しかしながら、このような電磁弁２０１にあっては、ヨーク２１６内周面が構成する磁気受渡部２２１とプランジャー２１５との対向面積を確保する為にヨーク２１６を厚肉に形成しなければならなかった。
【０００９】
これにより、電磁弁２０１の直径は縮径できるものの、高さ寸法が高くなり、小型化が阻まれるという問題があった。
【００１０】
本発明は、このような従来の課題に鑑みてなされたものであり、小型化を図ることができる電磁弁を提供することを目的とするものである。
【００１１】
【課題を解決するための手段】
前記課題を解決するために本発明の請求項１の電磁弁にあっては、収容空間に移動自在に収容されたプランジャーと、該プランジャーへ磁気を受け渡す磁気受渡部が設けられたヨークとを備えた電磁弁において、前記プランジャーの端面に、前記ヨークの前記磁気受渡部が挿入される挿入部を設け、前記磁気受渡部に対向する対向面を、前記挿入部の内側面に設定した。
【００１２】
すなわち、プランジャーへ磁気を受け渡すヨークの磁気受渡部は、プランジャー端面に設けられた挿入部内へ挿入されており、前記磁気受渡部に対向する対向面が前記挿入部の内側面に設定されている。
【００１３】
このため、前記プランジャーへの磁気の受け渡しは、該プランジャー内部の対向面にて行われる。
【００１４】
また、請求項２の電磁弁においては、前記プランジャーを、前記端面側に開口する中空状に形成した。
【００１５】
すなわち、プランジャーは、端面側に開口する中空状に形成されており、前記端面には、ヨークの磁気受渡部が挿入される挿入部が形成される。
【００１６】
【発明の実施の形態】
以下、本発明の一実施の形態を図に従って説明する。図１は、本実施の形態に係る電磁弁１を示す図であり、この電磁弁１は、油圧回路における油圧を制御するものである。
【００１７】
この電磁弁１は、円筒状のカバー１１を備えてなり、該カバー１１内には、樹脂成型品１２が収容されている。該樹脂成型品１２は、前記カバー１１に収容されたボビン１３と、前記カバー１１より突出したノズル部１４とからなり、前記ボビン１３には、コイル１５が巻回されソレノイド１６が形成されている。
【００１８】
前記ボビン１３の下端面には、円板状部材２１が積層されており、該円板状部材２１の周縁に前記カバー１１端部がカシメられ固定されている。前記円板状部材２１の中央部には、前記ソレノイド１６で励磁されるコア２２が設けられており、該コア２２は、前記ボビン１３の下部に内嵌されている。このコア２２上部の収容空間２３内には、励磁されたコア２２に吸着されるプランジャー２４が上下動自在に収容されており、該プランジャー２４から延出したロッド２５の大径部２６は、前記コア２２を挿通している。
【００１９】
前記プランジャー２４は、磁性体によって上方に開口した中空状に形成されており、円筒状の側壁部３１と、その下端を閉鎖する円板状の底部３２とによってコップ状に形成されている。このプランジャー２４の底部３２には、前記ロッド２５が設けられており、上端側に開口する挿入部３３には、磁性体からなるヨーク３４の磁気受渡部３５が挿入されている。
【００２０】
前記プランジャー２４の上部には、当該プランジャー２４の上方へ抜けを阻止するストッパー４１が設けられており、該ストッパー４１は、非磁性体によって形成されている。このストッパー４１は、前記ボビン１３の上端部に内嵌する円筒部４２と、該円筒部４２の上端より側方に延出する鍔部４３とからなり、上動するプランジャー２４が前記円筒部４２に当接することで、上動が規制されるように構成されている。
【００２１】
前記ヨーク３４は、前記ストッパー４１の前記鍔部４３を介して前記ソレノイド１６上に配置されるリング板状の基部５１と、該基部５１内縁より下方に延出する円筒状の前記磁気受渡部３５と、該磁気受渡部３５の下端部を閉鎖する円板状の先端部５２とによって構成されており、前記磁気受渡部３５に対向する対向面５３が、前記挿入部３３を構成する前記プランジャー２４側壁部３１の内側面に設定されている。これにより、前記ソレノイド１６で励磁された前記ヨーク３４からは、前記磁気受渡部３５に対向した前記対向面５３を介して、前記プランジャー２４へ磁気の受け渡しが行われるように構成されている。
【００２２】
前記ヨーク３４の前記先端部５２には、前記挿入部３３と外部とを連通する連通穴６１が開設されており、当該先端部５２と前記プランジャー２４の底部３２との磁気の受け渡しの低減が図られている。また、前記ヨーク３４の前記基部５１の周縁には、前記カバー１１端部がカシメられており、当該ヨーク３４が前記カバー１１に固定されている。
【００２３】
前記ロッド２５の大径部２６は、前記コア２２を挿通して第１弁室７１に達するように構成されており、この大径部２６の端面は、前記ノズル部１４にインサート成形された第１シート７２の第１シート穴７３を開閉する第１弁部７４を構成している。これにより、前記第１シート穴７３からの油圧をドレンポート７５から排出できるように構成されている。
【００２４】
前記大径部２６より延出した前記ロッド２５の小径部８１は、連通孔８２及びノズル部１４にインサート成形された第２シート８３の第２シート穴８４を挿通して第２弁室８５に達するように構成されており、この小径部８１の端面は、前記第２シート穴８４を閉鎖するボール弁８６を押圧できるように構成されている。
【００２５】
これにより、前記ソレノイド１６が非通電のプランジャー２４非作動時には、元圧を受けたボール弁８６が前記第２シート８３の第２シート穴８４を閉鎖するとともに、前記ボール弁８６で押圧された前記ロッド２５の第１弁部７４が前記第１シート７２の第１シート穴７３を開放し、油圧の入力ポート９１からの入力を阻止しつつ、出力ポート９２の油圧をドレンポート７５から排出できるように構成されている。
【００２６】
また、前記ソレノイド１６が通電されたプランジャー２４作動時には、元圧を受けたボール弁８６を前記ロッド２５で押圧して前記第２シート８３の第２シート穴８４を開放するとともに、前記第１弁部７４で前記第１シート７２の第１シート穴７３を閉鎖し、入力ポート９１からの油圧を出力ポート９２から出力できるように構成されている。
【００２７】
以上の構成にかかる本実施の形態において、プランジャー２４へ磁気を受け渡すヨーク３４の磁気受渡部３５は、プランジャー２４に設けられた上方開口状の挿入部３３内へ挿入されており、前記磁気受渡部３５に対向する対向面５３が前記挿入部３３を構成する前記プランジャー２４の側壁部３１の内側面に設定されている。これにより、前記プランジャー２４への磁気の受け渡しを、当該プランジャー２４内部の前記対向面５３にて行うことができる。
【００２８】
このため、ヨークの磁気受渡部がプランジャーの外周部に設けられた電磁弁と比較して、直径を縮径することができる。また、磁気受渡部が設けられたヨークをソレノイドのボビン上に配置して縮径化はしたものの、ボビン上に配置されたヨークを所定の肉厚以上に設定しなければならなかった電磁弁と比較して、磁気吸引力を落とさずに高さ寸法を小さくすることができる。
したがって、プランジャー２４内部を有効利用しつつ、電磁弁１の小型化を図ることができる。
【００２９】
そして、前記プランジャー２４を上端側に開口する中空状に形成することで、上端面に前記ヨーク３４の磁気受渡部３５が挿入される挿入部３３を形成することができる。
【００３０】
これにより、プランジャー２４構造の簡素化を図ることができるとともに、上下作動するプランジャー２４の軽量化を図ることができる。
【００３１】
【発明の効果】
以上説明したように本発明の請求項１の電磁弁にあっては、プランジャーへ磁気を受け渡すヨークの磁気受渡部をプランジャー端面の挿入部内へ挿入し、プランジャーへの磁気の受け渡しを、当該プランジャー内部の対向面にて行うことができる。
【００３２】
これにより、ヨークの磁気受渡部がプランジャーの外周部に設けられた電磁弁と比較して、直径を縮径することができる。また、ソレノイドのボビン上に配置されたリング状のヨークを、所定の肉厚以上に設定しなければならなかった電磁弁と比較して、磁気吸引力を落とさずに高さ寸法を小さくすることができる。
したがって、プランジャー内部を有効利用しつつ、電磁弁の小型化を図ることができる。
【００３３】
また、請求項２の電磁弁においては、プランジャーを、端面側に開口する中空状に形成することで、前記端面に、ヨークの磁気受渡部が挿入される挿入部を形成することができる。
【００３４】
これにより、プランジャー構造の簡素化を図ることができるとともに、作動するプランジャーの軽量化を図ることができる。
【図面の簡単な説明】
【図１】本発明の一実施の形態を示す図である。
【図２】従来の電磁弁を示す図である。
【図３】他の従来例を示す図である。
【符号の説明】
１    電磁弁
２３    収容空間
２４    プランジャー
３３    挿入部
３４    ヨーク
３５    磁気受渡部
５３    対向面
【図１】
2004270768.tif 000003
【図２】
2004270768.tif 000004
【図３】
2004270768.tif 000005